(57)【要約】【課題】  説明書を容易に閲覧しながら作業を実行する制御システムを提供する。【解決手段】  分析装置２０と、分析装置２０とデータを送受信することが可能なコンピュータ１０とを備える制御システム１であって、分析装置２０は、低機能制御ユニット２４と、データを記憶するための小容量記憶部２６と、画像が表示される表示部２３と、入力操作される入力部２２とを備え、コンピュータ１０は、高機能制御ユニット１１と、データを記憶するための大容量記憶部１４と、画像が表示される表示部１３と、入力操作される入力部１２とを備え、大容量記憶部１４には、分析装置２０の操作に関する説明書データが記憶され、分析装置２０の入力部２２によって資料要求信号が入力されると、高機能制御ユニット１１は、分析装置２０に説明書データを送信し、分析装置２０は、受信した説明書データを表示部２３に表示する。【選択図】図１
2013113598.tif 000002
【特許請求の範囲】
【請求項１】
分析装置と、当該分析装置とデータを送受信することが可能なコンピュータとを備える制御システムであって、
前記分析装置は、装置本体部を動作させる主回路と、当該主回路から測定データを取得するとともに前記コンピュータとデータを送受信する低機能制御ユニットと、データを記憶するための小容量記憶部と、画像が表示される表示部と、入力操作される入力部とを備え、
前記コンピュータは、前記分析装置とデータを送受信して測定データを処理する高機能制御ユニットと、データを記憶するための大容量記憶部と、画像が表示される表示部と、入力操作される入力部とを備え、
前記大容量記憶部には、前記分析装置の操作に関する説明書データが記憶され、
前記分析装置の入力部によって資料要求信号が入力されると、前記高機能制御ユニットは、前記分析装置に前記説明書データを送信し、前記分析装置は、受信した前記説明書データを表示部に表示することを特徴とする制御システム。
【請求項２】
前記分析装置の表示部は、前記説明書データを表示することが可能となっていることを特徴とする請求項１に記載の制御システム。
【請求項３】
前記高機能制御ユニットは、前記説明書データを、前記分析装置が受け取ることのできるデータフォーマットに変換して、前記分析装置に送信することを特徴とする請求項１又は請求項２に記載の制御システム。
【請求項４】
前記大容量記憶部には、複数の説明書データが記憶され、
前記分析装置の入力部によって資料要求信号が入力されると、前記高機能制御ユニットは、複数の説明書データの内から選択された一の説明書データを分析装置に送信することを特徴とする請求項１〜請求項３のいずれか１項に記載の制御システム。
【請求項５】
前記分析装置は、液体クロマトグラフであることを特徴とする請求項１〜請求項４のいずれか１項に記載の制御システム。
【発明の詳細な説明】
【技術分野】
【０００１】
本発明は、コンピュータと接続された分析装置を備える制御システムに関する。
【背景技術】
【０００２】
近年、ＯＡ化が進み、様々な場所にコンピュータが設置され、何らかの通信線（EtherNet（登録商標）、USB、1394、RS232C、各無線通信等）で分析装置（液体クロマトグラフ、ガスクロマトグラフ装置、質量分析計、分光光度計、バイオ関連装置、Ｘ線表面装置、環境装置、試験機等）と接続されている（例えば、特許文献１参照）。
図２は、従来の液体クロマトグラフとコンピュータとが接続された制御システムの一例を示す概略構成図である。制御システム１０１は、液体クロマトグラフ１２０とコンピュータ１０とを備え、コンピュータ１０と液体クロマトグラフ１２０とは、通信ケーブルや電話回線やＬＡＮ等の通信線５で接続されている。
【０００３】
コンピュータ１０は、液体クロマトグラフ１２０とデータを送受信して測定データを処理する高機能ＣＰＵユニット（例えば、クロック数１００ＭＨｚ）１１と、データを記憶するための大容量メモリ１１４と、入力操作が行われるキーボード（入力部）１２と、画像（例えば、大きさ  ７インチ、解像度１３０ｄｐｉ）が表示される表示装置１３とを備える。
高機能ＣＰＵユニット１１は、キーボード１２から入力された入力信号に基づいて、アプリケーションソフトを立ち上げたり、液体クロマトグラフ１２０と通信状態としたりすることができるようになっている。
【０００４】
液体クロマトグラフ１２０は、装置本体部３０と、装置本体部３０を動作させる主回路２１と、主回路２１から測定データを取得するとともにコンピュータ１０とデータを送受信する低機能ＣＰＵユニット（例えば、クロック数１００ＭＨｚ）１２４と、画像データを記憶するためのビデオメモリ（小容量記憶部、例えば４Ｍｂｉｔ）２６と、測定データを記憶するための小容量メモリ２７と、画像（例えば、大きさ７インチ、解像度１３０ｄｐｉ）が表示される液晶表示器（表示部）１２３と、ＬＣＤコントローラ２５と、入力操作される入力部１２２とを備える。
【０００５】
主回路２１は、ランプ電源回路、モータ回路、温調回路等である。
低機能ＣＰＵユニット１２４は、高機能ＣＰＵユニット１１から種々のデータを受信することで主回路２１を制御するとともに、高機能ＣＰＵユニット１１に種々のデータを送信することにより、各種機能を果たすようになっている。
【０００６】
よって、このような制御システム１０１によれば、ユーザは、分析を開始するときには、コンピュータ１０でアプリケーションソフトを立ち上げて、コンピュータ１０と液体クロマトグラフ１２０とを通信状態とした後、アプリケーションソフトを用いて液体クロマトグラフ１２０で分析を実行していた。そして、分析を実行しているときには、コンピュータ１０が液体クロマトグラフ１２０から測定データを所定のタイミングで取得していた。これにより、コンピュータ１０で測定データについて様々な処理をしていた。このとき、液晶表示器１２３には、液体クロマトグラフ１２０の状態を示す画像が表示されている。その後、ユーザはコンピュータ１０でアプリケーションソフトを終了して、コンピュータ１０と液体クロマトグラフ１２０とを切断状態としていた。
【先行技術文献】
【特許文献】
【０００７】
【特許文献１】特開平４−１５７０号公報
【発明の概要】
【発明が解決しようとする課題】
【０００８】
ところで、上述したような液体クロマトグラフ１２０では、液体クロマトグラフ１２０の操作に不慣れなユーザは、説明書を閲覧しながら操作作業やメンテナンス作業等を実行している。このとき、説明内容が記載された本（以下、「説明書本」という）を閲覧したり、別途ノート型コンピュータと、説明内容が記憶されたＣＤ−ＲＯＭとを準備して、ノート型コンピュータのモニタに説明書を表示させたりしていた。
しかしながら、ユーザが説明書本を使用する際には、液体クロマトグラフ１２０の近辺に説明書本を開いて置くためのスペースが必要であったり、説明書本を保管する際には保管するためのスペースが必要であったりするので、大変不便であった。一方、ユーザがＣＤ−ＲＯＭを使用する際にも、液体クロマトグラフ１２０の近辺にノート型コンピュータを置くためのスペースや、ノート型コンピュータを動作させるための電源が必要であるので、大変不便であった。
【課題を解決するための手段】
【０００９】
本件発明者は、上記課題を解決するために、説明書を容易に閲覧しながら作業を実行する方法について検討を行った。そこで、液体クロマトグラフ１２０の液晶表示器１２３に説明書を表示させることにした。ところが、液体クロマトグラフ１２０には、コンピュータ１０で様々な処理をしているので、演算能力や記憶容量は必要ないため、ビデオメモリ２６に容量の大きい説明書データを記憶させることができず、また、ビデオメモリ２６に説明書データを記憶させることができたとしても、低機能ＣＰＵユニット１２４が実用的な速度で説明書データを展開することができなかった。よって、分析装置とデータを送受信することが可能なコンピュータの大容量記憶部に、説明書データを記憶させておき、必要なときに分析装置が説明書データを受信した後、分析装置の表示部に表示することを見出した。
【００１０】
すなわち、本発明の制御システムは、分析装置と、当該分析装置とデータを送受信することが可能なコンピュータとを備える制御システムであって、前記分析装置は、装置本体部を動作させる主回路と、当該主回路から測定データを取得するとともに前記コンピュータとデータを送受信する低機能制御ユニットと、データを記憶するための小容量記憶部と、画像が表示される表示部と、入力操作される入力部とを備え、前記コンピュータは、前記分析装置とデータを送受信して測定データを処理する高機能制御ユニットと、データを記憶するための大容量記憶部と、画像が表示される表示部と、入力操作される入力部とを備え、前記大容量記憶部には、前記分析装置の操作に関する説明書データが記憶され、前記分析装置の入力部によって資料要求信号が入力されると、前記高機能制御ユニットは、前記分析装置に前記説明書データを送信し、前記分析装置は、受信した前記説明書データを表示部に表示するようにしている。
【００１１】
ここで、「装置本体部」とは、分析を行うための部品のことをいう。
本発明の制御システムによれば、大容量記憶部に説明書データを予め記憶させておく。そして、高機能制御ユニットは、分析装置から資料要求信号を受けると、説明書データを分析装置が受け取ることのできるデータフォーマット（データ方式）に変換すること等を実行して分析装置に送信する。分析装置は、説明書データを受け取ると、ほとんど加工することなくビデオメモリ（小容量記憶部）に書き込む。ビデオメモリに書き込まれた説明書データは、分析装置の液晶表示器（表示部）に画像として表示されることになる。
【発明の効果】
【００１２】
以上のように、本発明の制御システムによれば、コンピュータの大容量記憶部に説明書データを記憶させるので、分析装置の小容量記憶部を大容量記憶部に変更することもなく、さらに説明書本を保管するためのスペースも必要でなくなる。また、高機能制御ユニットに説明書データを加工させることで、低機能制御ユニットの処理能力を高くすることもなく、説明書データを表示部に表示することができる。さらに、分析装置のある場所に居ながら、大容量記憶部に記憶されている説明書データにアクセスすることができるので、説明書本を取りに行く時間等を節約できる。
【００１３】
（他の課題を解決するための手段及び効果）
また、上記の発明において、前記分析装置の表示部は、前記説明書データを表示することが可能となっているようにしてもよい。
本発明の制御システムによれば、グラフィカルな画像データを表示することができる。
【００１４】
また、上記の発明において、前記高機能制御ユニットは、前記説明書データを、前記分析装置が受け取ることのできるデータフォーマットに変換して、前記分析装置に送信するようにしてもよい。
そして、上記の発明において、前記大容量記憶部には、複数の説明書データが記憶され、前記分析装置の入力部によって資料要求信号が入力されると、前記高機能制御ユニットは、複数の説明書データの内から選択された一の説明書データを分析装置に送信するようにしてもよい。
さらに、上記の発明において、前記分析装置は、液体クロマトグラフであるようにしてもよい。
【図面の簡単な説明】
【００１５】
【図１】本発明に係る液体クロマトグラフとコンピュータとが接続された制御システムの一例を示す概略構成図。
【図２】従来の液体クロマトグラフとコンピュータとが接続された制御システムの一例を示す概略構成図。
【発明を実施するための形態】
【００１６】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１７】
図１は、本発明に係る液体クロマトグラフとコンピュータとが接続された制御システムの一例を示す概略構成図である。なお、上述した制御システム１０１と同様のものについては、同じ符号を付している。
制御システム１は、液体クロマトグラフ２０とコンピュータ１０とを備え、コンピュータ１０と液体クロマトグラフ２０とは、通信ケーブルや電話回線やＬＡＮ等の通信線５で接続されている。
【００１８】
コンピュータ１０は、液体クロマトグラフ２０とデータを送受信して測定データを処理する高機能ＣＰＵユニット（例えば、クロック数１００ＭＨｚ）１１と、データを記憶するための大容量メモリ１４と、入力操作が行われるキーボード（入力部）１２と、画像（例えば、大きさ７インチ、解像度１３０ｄｐｉ）が表示される表示装置１３とを備える。
大容量メモリ１４には、液体クロマトグラフ２０の操作に関する複数（例えば、１０個）の説明書データが予め記憶されている。説明書データは、操作作業の手順が記載された説明書や、メンテナンス作業の手順が記載された説明書や、トラブルシューティングが記載された説明書等のデータである。このような説明書データのデータフォーマットは、例えば、ＰＤＦ形式となっている。
【００１９】
高機能ＣＰＵユニット１１は、キーボード１２から入力された入力信号に基づいて、アプリケーションソフトを立ち上げたり、液体クロマトグラフ２０と通信状態としたりするようになっている。また、高機能ＣＰＵユニット１１は、液体クロマトグラフ２０の入力部２２から入力された閲覧リクエスト（資料要求信号）に基づいて、説明書データを液体クロマトグラフ１２０が受け取ることのできるデータフォーマット（例えば、ＢＩＮ形式）に変換して液体クロマトグラフ２０に送信するようになっている。
【００２０】
液体クロマトグラフ２０は、装置本体部３０と、装置本体部３０を動作させる主回路２１と、主回路２１から測定データを取得するとともにコンピュータ１０とデータを送受信する低機能ＣＰＵユニット（例えば、クロック数１００ＭＨｚ）２４と、画像データを書き込むためのビデオメモリ（小容量記憶部、例えば４Ｍｂｉｔ）２６と、測定データを記憶するための小容量メモリ２７と、画像（例えば、大きさ７インチ、解像度１３０ｄｐｉ）が表示される液晶表示器（表示部）２３と、ＬＣＤコントローラ２５と、入力操作される入力部２２とを備える。
入力部２２は、ユーザによってメニュー等から選択されることで閲覧リクエスト（入力信号）が入力操作されることが可能となる閲覧リクエストメニューボタン（閲覧リクエスト入力部）を有する。
【００２１】
低機能ＣＰＵユニット２４は、高機能ＣＰＵユニット１１から種々のデータを受信することで主回路２１を制御するとともに、高機能ＣＰＵユニット１１に種々のデータを送信することにより、各種機能を果たすようになっている。また、低機能ＣＰＵユニット２４は、入力部２２によって閲覧リクエストが入力されると、高機能ＣＰＵユニット１１に閲覧リクエストを送信した後、高機能ＣＰＵユニット１１から説明書データを受信することでビデオメモリ２６に書き込むことにより、ビデオメモリ２６に書き込まれた説明書データが液晶表示器２６に表示されるようになっている。
【００２２】
ここで、制御システム１によってユーザが説明書を閲覧しながら液体クロマトグラフ２０のメンテナンス作業を実行する方法の一例について説明する。
ユーザが液体クロマトグラフ２０のメンテナンス作業を実行したいため説明書を閲覧したい場合には、入力部２２を用いてメニューから選択することで、閲覧リクエストを入力する。これにより、閲覧リクエストが入力された低機能ＣＰＵユニット２４は、高機能ＣＰＵユニット１１に閲覧リクエストを送信する。高機能ＣＰＵユニット１１は、複数の説明書データの一覧リストデータを低機能ＣＰＵユニット２４に送信する。低機能ＣＰＵユニット２４は、一覧リストデータを受け取ると、ビデオメモリ２６に書き込む。そして、ビデオメモリ２６に書き込まれた一覧リストデータは、ＬＣＤコントローラ２５によって液晶表示器２３に毎秒３０回のレートで表示される。
【００２３】
次に、ユーザが入力部２２を用いて一覧リストから一の説明書データの種類（例えば、メンテナンス作業の手順が記載された説明書）を選択することで、一の説明書データの種類を入力する。これにより、一の説明書データの種類が入力された低機能ＣＰＵユニット２４は、高機能ＣＰＵユニット１１に一の説明書データの種類を送信する。高機能ＣＰＵユニット１１は、一の説明書データを大容量メモリ１４に展開してデータフォーマット（例えば、ＢＩＮ形式）に変換して低機能ＣＰＵユニット２４に送信する。低機能ＣＰＵユニット２４は、一の説明書データを受け取ると、ほとんど加工することなくビデオメモリ２６に書き込む。そして、ビデオメモリ２６に書き込まれた一の説明書データは、ＬＣＤコントローラ２５によって液晶表示器２３に毎秒３０回のレートで表示される。
これにより、ユーザは、液晶表示器２３に表示された説明書を閲覧しながら、液体クロマトグラフ２０のメンテナンス作業を実行する。
【００２４】
以上のように、制御システム１によれば、コンピュータ１０の大容量メモリ１４に説明書データを記憶させるので、液体クロマトグラフ２０のビデオメモリ２６を大容量記憶部に変更することもなく、さらに説明書本を保管するためのスペースも必要でなくなる。また、高機能ＣＰＵユニット１１に説明書データを加工させることで、低機能ＣＰＵユニット２４の処理能力を高くすることもなく、説明書データを液晶表示器２３に表示することができる。さらに、液体クロマトグラフ２０のある場所に居ながら、大容量メモリ１４に記憶されている説明書データにアクセスすることができるので、説明書本を取りに行く時間等を節約できる。
【００２５】
＜他の実施形態＞
（１）上述した制御システム１では、コンピュータ１０と液体クロマトグラフ２０とは、通信線５で接続されている構成を示したが、無線で通信可能に接続されているような構成としてもよい。
（２）上述した制御システム１では、低機能ＣＰＵユニット２４は、高機能ＣＰＵユニット１１から説明書データを受信することでビデオメモリ２６に書き込む構成を示したが、高機能ＣＰＵユニット１１が説明書データをビデオメモリ２６に書き込むような構成としてもよい。
【００２６】
（３）上述した制御システム１では、高機能ＣＰＵユニット１１は、液体クロマトグラフ２０の入力部２２から出力された閲覧リクエストに基づいて、説明書データを液体クロマトグラフ２０が受け取ることのできるデータフォーマットに変換する構成を示したが、説明書データを液体クロマトグラフ２０が受け取ることのできるデータフォーマットに予め変換しておくような構成としてもよい。これにより、応答性がよくなる。
【産業上の利用可能性】
【００２７】
本発明は、コンピュータと接続された分析装置を備える制御システム等に利用することができる。
【符号の説明】
【００２８】
１  制御システム
１０  コンピュータ
１１  高機能ＣＰＵユニット
１２  入力部
１３  表示部
１４  大容量メモリ
２０  液体クロマトグラフ（分析装置）
２１  主回路
２２  入力部
２３  液晶表示器（表示部）
２４  低機能ＣＰＵユニット
２６  ビデオメモリ（小容量記憶部）
３０  装置本体部
【図１】
2013113598.tif 000003
【図２】
2013113598.tif 000004